(57)【要約】    【課題】  譜面板および譜面受け部を設置台に設けた譜面台装置について、組立工数を減らし、かつ精度よく組立可能な譜面台装置を提供すること。    【解決手段】  譜面板３１と、譜面受け部３４とを有する設置台３２を備えた譜面台装置３０において、譜面板３１の裏面に一端が固定され、他端が前記設置台３２に固定されるとともに、前記一端及び他端が回動自在である支持アーム３３と、譜面板３１を立設状態から倒伏状態へ、または倒伏状態から立設状態へ案内するガイド部４０とを備えさせるとともに、ガイド部４０を保持し、その位置を規定するガイド規定部５１と、前記譜面受け部３４とを集成して設けた譜面台集成部５０を備えさせ、譜面板３１の立設時に、譜面板３１が、ガイド部４０にガイドされて設置台３２上の所定の立設位置に設置されるようにした。【選択図】    図３
2005181905.tif 000002
【特許請求の範囲】
【請求項１】
設置台に立設または倒伏される譜面板と、前記設置台に載置された譜面受け部とを有する譜面台装置であって、
譜面板の裏面に一端が固定され、他端が前記設置台に固定されるとともに、前記一端及び他端が回動自在である支持アームと、譜面台集成部とで構成され、
前記譜面台集成部は、前記譜面板を立設状態から倒伏状態へまたは倒伏状態から立設状態へ案内するガイド部と、前記ガイド部を保持しその位置を規定するガイド規定部と前記譜面受け部とを集成して設けてなり、
前記譜面板の立設時に、前記譜面板が前記ガイド部にガイドされて、前記設置台上の所定の立設位置に設置されるようにしたことを特徴とする譜面台装置。
【請求項２】
前記譜面台集成部は、前記譜面受け部に譜面を載置した時に譜面の脱落を防止する譜面止め部をさらに集成して構成されていることを特徴とする請求項１に記載の譜面台装置。
【請求項３】
前記譜面台集成部は、譜面の立設位置を規定する譜面位置規定部をさらに集成して構成されていることを特徴とする請求項１または２に記載の譜面台装置。
【発明の詳細な説明】
【技術分野】
【０００１】
本発明は、鍵盤楽器等の譜面台装置に関する。
【背景技術】
【０００２】
従来の鍵盤楽器の譜面台装置では、譜面板裏面の所定の２箇所に備えられた支持部材を、天板上の係合部に係合させることで、譜面板を所定の角度に傾斜させて固定していた。このような譜面台装置では、譜面板を一方の手で起こし、他方の手を譜面板の裏側に回して、前記支持部材を係合部に係合させることで、譜面板を立設させていた。
【０００３】
このような譜面台装置の一例として、例えば下記の特許文献１に記載のものがある。この譜面台装置では、天板上に設置された取付板と、譜面板に固定された固定板とをヒンジ部材等の回転部を介して回動自在に結合し、譜面板を天板に対して回動自在にしている。さらに、前述のような支持部材と係合部との係合によって、譜面板を立設させている。
【特許文献１】特開平９−１１４４４８号公報
【発明の開示】
【発明が解決しようとする課題】
【０００４】
しかしながら、前述のような譜面台装置は、譜面板に固定された固定板と支持部材との結合や、天板に固定された取付板と支持部材との結合等をヒンジ部材を介して行っているため、装置の組立に必要な工程数が多く、組立に時間を要していた。また、譜面板の立設・倒伏動作を正確に行わせるためには、前記結合箇所や、支持部材と係合部とを係合させる位置を精密に定める必要があり、組立作業が複雑になっていた。
【０００５】
本発明は、このような問題を解決し、譜面板を立設・倒伏動作を滑らかに行わせるような、精密な組立を容易に行うことができる譜面台装置を提供することを目的としている。
【課題を解決するための手段】
【０００６】
本発明は、上記目的を達成するために、設置台に立設または倒伏される譜面板と、前記設置台に載置された譜面受け部とを有する譜面台装置であって、譜面板の裏面に一端が固定され、他端が前記設置台に固定されるとともに、前記一端及び他端が回動自在である支持アームと、譜面台集成部とで構成され、前記譜面台集成部は、前記譜面板を立設状態から倒伏状態へまたは倒伏状態から立設状態へ案内するガイド部と、前記ガイド部を保持しその位置を規定するガイド規定部と前記譜面受け部とを集成して設けてなり、前記譜面板の立設時に、前記譜面板が前記ガイド部にガイドされて、前記設置台上の所定の立設位置に設置されるようにしたことを特徴とする譜面台装置を提案している。
【発明の効果】
【０００７】
前述のような構成を有する譜面台装置は、ガイド規定部、譜面受け部を一体的に形成した譜面台集成部を備えているため、ガイド部の固定位置や譜面板を組み込む位置等を調整する必要がない。また、ガイド部の位置が予め固定されるため、譜面板と設置台との結合位置も自動的に定まる。したがって、譜面台装置の精密な組立を容易に行うことができる。
【発明を実施するための最良の形態】
【０００８】
以下、本発明を電子鍵盤楽器に適用した実施形態について添付図面を参照しつつ説明する。なお説明に用いる図面においては、同一又は同種の部分に同じ番号を付して説明を省略することがある。
【０００９】
図１は、本発明に係る譜面台装置３０を楽器本体１０の上に載置した場合の一実施形態であって、要部を断面にて示す側面図である。図１は、鍵盤や音源部等が略された電子鍵盤楽器１を表しており、譜面台装置３０上に設けられた譜面板３１が倒伏された状態を示している。図２は、図１におけるＩ−Ｉの断面を矢視方向に見た部分断面図である。図３は本発明に係る譜面台装置３０の一部を構成する譜面台集成部５０の外観を示す斜視図である。また、図４は本発明に係る譜面板３１を倒伏した譜面台装置３０を上方及び下方から見た正面図であり、図４（Ａ）は譜面台装置３０を上方から見た状態、図４（Ｂ）は譜面台装置３０を下方から見た状態を示している。図５は、本発明に係る譜面台装置３０を形成する譜面台集成部５０の一部を拡大して示す側面図である。また、図６は、図１に示す譜面台装置３０において、譜面板３１を立設させた状態を示している。なお、本明細書中では電子鍵盤楽器において、演奏者側を「前」、背板側を「後」と称し、「右」及び「左」で指す方向は、前記演奏者側から見た方向であるものとする。
【００１０】
図１に示すように、譜面台装置３０の設置台３２は、楽器本体１０の背板７及び側板８で支持され、楽器本体１０の天板（屋根板）でもある。譜面板３１は、支持アーム３３によって立設可能であり、この支持アーム３３の一端３３ａが譜面板３１の裏面中間部に、その他端３３ｂが各ヒンジ部３３ａａ、３３ｂｂを介して設置台３２上にそれぞれ回動自在に連結されている。また、譜面板３１の前端（譜面板３１の立設時における下端）には、固定部３１Ａを介して腕部３１ｂを備えた軸体３１ａが取り付けられている。
【００１１】
図１〜図３に示すように、設置台３２の上面には、略方形の空洞を形成する凹陥部３２ａが形成され、この凹陥部３２ａに対して次に説明する譜面台集成部５０が正確に嵌合している。譜面台集成部５０は下方に凸である凸部５２を備えており、図２及び図３に示すように、凸部５２は凹陥部３２ａ内に隙間無く収まるように嵌め込まれる。これによって譜面台集成部５０は設置台３２に対して位置関係が定められている。
【００１２】
また、図３に示すように、譜面台集成部５０の底面には凹凸が形成され、この凹凸が譜面受け部３４および段差部３６を構成している。より詳細には、譜面台集成部５０の中央手前側（Ｑ１）から奥行き側（Ｑ２）に向かって下方に傾斜する凹部（３４ａ）を設けることで、譜面受け部３４を形成し、この譜面受け部３４に対して略垂直をなす前面３６ａと、この前面３６ａと略垂直をなす上面３６ｂとによって、上方に凸である段差部３６を形成する。すなわち、譜面受け部３４は、譜面板３１が所定角度で立設した際に譜面板３１とほぼ９０度をなすように形成される。また、図６に示すように、段差部３６の上面３６ｂは、立設時の譜面板３１の表面３１１に対しほぼ垂直に形成され、前面３６ａと立設時の譜面板３１の表面３１１とは同一平面をなすように構成されている。
【００１３】
この譜面台集成部５０はさらに、凹陥部３２ａの一部を底面に向けて貫通させることで形成したガイド規定部５１を備えている。ガイド規定部５１は、ガイド部４０に適合した形状及びサイズの空間を形成しており、ガイド部４０の位置を特定する位置決め手段として作用する。また、ガイド規定部５１の上方には、ガイド部４０を収納した際にガイド規定部５１の上方を覆うようにフランジ部７０が譜面台集成部５０の一部として一体に設けられている。このフランジ部７０の開放端面７１と、ガイド規定部５１の端面５０１との平面視距離Ｄは所定長（約３〜８ｍｍ）あり、この隙間に腕部３１ｂが介入している。また、譜面受け部３４の手前側（鍵盤楽器を演奏する演奏者側）には、図３に示すように、譜面止め部３５を設けるための凹部５３が設けられ、譜面止め部３５が図の矢印Ｐの方向（直立／倒設方向）に回動するように取り付けられている。
【００１４】
なお、譜面台集成部５０の底部は、止め金具６４を介するとともに、譜面板３２の底部に形成されたスリット３２ｃを貫通するビス６３ａと螺合する螺合部（図示せず；例えば下に凸のボス）を備えており、譜面台集成部５０はこのビス６３ａによって止め金具６４に固定される。さらに、ビス６３ｂと止め金具６４とによって譜面台集成部５０の下面を引き寄せ、設置台３２に止め金具６４を固定することで、譜面台集成部５０は設置台３２に対して固定される。
【００１５】
また、図１〜図３に示すように、ガイド部４０は、ガイド規定部５１内に収納され、前後に延びる細長板形状を有しており、その内部に譜面板３１に備えられた軸体３１ａを導く案内路４３を備える。案内路４３は、図１に示すように、ガイド部４０の内部を前後に延びており、始端部４１と終端部４２とをつなぐ連続した溝によって形成されている。また、案内路４３は始端部４１から所定の距離だけ終端部４２に近づくまで、前記案内路４３は若干の昇り傾斜をなすように形成される。また、終端部４２は、溝部を下方に屈曲させて形成した落ち込み部４２ａを備えている。譜面板３１の軸体３１ａは、図３に示すように、案内路４３に嵌入し、譜面板３１の倒伏時には案内路４３の始端部４１付近に位置し、立設するに従って案内路４３の奥行き方向に摺動する。さらに、軸体３１ａが終端部４２に設けられた落ち込み部４２ａに係合することによって、譜面板３１は立設する。
【００１６】
また、図１〜３に示すように、ガイド部４０の底部にはビス６１と螺号する孔（図示せず）を備えたボス４４が形成されている。ビス６１ａは、止め金具６２を介するとともに、設置台３２の底部の、ガイド規定部５１に対応する位置に形成された孔部３２ｂを貫通してボス４４に螺合し、ガイド規定部５１の内部に収納されたガイド部４０を止め金具６２に対して固定している。さらに、ビス６１ｂによって止め金具６２と設置台３２とを固定することで、ガイド部４０は設置台３２に対して固定される。
【００１７】
前述のようにして組み上げられた譜面台装置３０を、上側及び下側から見た全体図をそれぞれ図４（Ａ）、（Ｂ）に示す。図４（Ａ）に示されるように、譜面板３１を設置台３２に対して支持するための支持アーム３３は、設置台３２上の左右２箇所に設けられている。
【００１８】
譜面台集成部５０のガイド規定部５１には、ガイド部４０が下側から挿入され固定される。ガイド規定部５１は、ガイド部４０の大きさに合わせて予め所定の形状、幅、深さ、長さに形成されており、ガイド部４０を収納する際に特別の位置決め等しなくともガイド部４０を所定の位置に納めることができる。
【００１９】
このように、ガイド部４０がガイド規定部５１内において位置決めされるため、軸体３１ａがガイド部４０中の案内路４３を滑らかに移動でき、落ち込み部４２ａに嵌合することができる。即ち、ガイド部４０は、左右２箇所に設けられるため、このようなガイド規定部５１を設けることにより、無造作にガイド部４０をガイド規定部５１に嵌め込んでも、正確に左右対称に形成することができる。また、図５に示すように、譜面板３１と譜面受け部３４とのの位置関係を適正に保つように、立設した譜面板３１の下端は段差部３６の上面３６ｂとほぼ接する位置に規定される。従って、軸体３１ａと落ち込み部４２ａとの嵌合する位置関係と、譜面板３１の下端が上面３６ｂとほぼ接するように位置する位置関係とが、譜面台集成部５０のガイド規定部５１と譜面板位置規定部によって同時に規定される。
【００２０】
なお、図５（Ａ）に示すように、段差部３６は譜面を立て掛ける凹部として作用し、このような段差部３６によって譜面８０が段差部３６の上面３６ｂと、譜面板３１の底面との隙間に入り込むことがなくなる。このように、段差部３６は譜面を安定して載置するような譜面位置規定部として作用するが、他の実施形態として、図５（Ｂ）に示すように、譜面受け部３４上の、段差部３６の手前側に立上げ面３６ｃを形成し、譜面８０をより安定して設置するようにしてもよい。また、図５（Ｂ）に示す立上げ面３６ｃに代えて、譜面受け部３４上に細かな凹凸により形成した摩擦面を形成し、摩擦面と譜面８０の底部との摩擦によって、譜面８０を安定して載置するようにしてもよい。摩擦面は、譜面台集成部５０を形成する際に、摩擦面３６ｄに対応する部分の金型表面を荒仕上げすることによって形成することができる。このような摩擦面を形成した場合、段差部３６を設けなくとも、譜面８０の位置を安定して規定することができる。このように、譜面台集成部５０に形成された段差部３６や、立上げ面３６ｃ、摩擦面等は、その実施形態に応じて譜面位置規定部として作用する。
【００２１】
次に、前述のような譜面台集成部５０を用いて、譜面台装置３０を組み上げるまでの手順について説明する。
【００２２】
まず、設置台３２の表面に、譜面台集成部５０の凸部５２と嵌合するための凹陥部３２ａを彫り込み等の溝加工によって形成する。このとき、譜面台集成部を設置台に固定する際にビス６３ａと螺合するような細長形状の大孔（図示せず）を、凹陥部３２ａの裏面に複数箇所設けておく。
【００２３】
次に、金型等によって譜面受け部３４、段差部３６、ガイド規定部５１及び凸部５２、譜面受け部３４の一部である凹部５３を備えた譜面台集成部５０を一体的に形成する。
【００２４】
次に、譜面受け部３４の一部に凹部５３を設け、譜面止め部３５を取り付ける。さらに、譜面台集成部５０に収納されるガイド部４０をガイド規定部５１に挿入し、設置台３２の表面からガイド部４０の底部に設けられたボス４４に向けて止め金具６２を介してビス６１ａを挿入し、固定する。
【００２５】
さらに、譜面台集成部５０を、設置台３２に止め金具６４及びビス６３ａ、６３ｂを介して固定する。これによって、ガイド部４０は設置台３２に対して強固に固定される。なお、譜面板３１の譜面台集成部５０への取付けは、ガイド部４０の譜面台集成部５０への取付けと同時に行うか、軸体３１ａを後付けすることによって行ってもよい。
【００２６】
最後に、予め譜面板３１の背面に回動自在に取り付けられた回動軸３３を、設置台３２上に固定し、譜面台装置３０を完成させる。
【００２７】
このようにして完成された譜面台装置３０は、楽器本体１０上に載置・固定され、電子鍵盤楽器１を構成する部材として組み込まれる。なお、回動軸の一端を、設置台３２に対して取り付けるのではなく、譜面台集成部５０上に回動自在に固定するようにしてもよい。
【００２８】
このような譜面台装置３０において、譜面板３１を立設・倒伏させる手順を図１及び図６を用いて説明する。
【００２９】
図１に示すような、譜面板３１が倒伏している状態では、軸体３１ａは案内部材４０の始端部４１に位置する。この状態から、譜面板３１の上端を手で持ち上げるように徐々に立設させると、軸体３１ａは始端部４１を離れ、案内路４３を摺動し、終端部４２に到達する。さらに譜面板３１を立設させると、終端部４２に到達した軸体３１ａは図６に示すように落ち込み部４２ａに落ち込み、係合する。このとき軸体３１ａ及び落ち込み部４２ａは譜面板３１の自重を受け、これらの係合が安定し、譜面板３１は所定の角度に立設させるように支持される。
【００３０】
図６に示すような譜面板３１が立設した状態において、譜面板３１の下底部と段差部３６の前面３６ａとは同一平面を形成し、譜面板３１と譜面受け部３４とはほぼ直交する。また、譜面受け３４の手前側に設けられた譜面止め部３５を直立させることで、譜面受け３４に立てかけた譜面が倒れるのを防止したり、見開いた譜面のページを保持したりすることが可能になる。
【００３１】
このように、譜面台装置３０は、ガイド部収納部５１，譜面受け部３４，段差部３６を一体的に形成した譜面台集成部５０を備えているため、ガイド部４０の固定位置や譜面板３１の軸体３１ａを案内路４３に嵌合させる位置等の調整する必要がない。また、ガイド部４０の位置が予め固定されるため、譜面板３１と設置台３２との結合位置も自動的に定まる。したがって、譜面板３１がガイド部４０に設けられた案内路４３中を滑らかに摺動することができ、また、譜面板３１を容易に立設または倒伏させることができる。さらに、譜面台装置３０の組立が容易となり、かつ、組立工数も減少する。
【００３２】
また、前述の実施形態のように、前記譜面台集成部５０に譜面止め部３５を予め取り付けた場合、譜面台装置３０を組み上げた後にこのような譜面止め部を設ける必要がなくなる。この場合、より少ない工数で譜面台装置３０を完成することができる。
【００３３】
さらに、このような譜面台装置においては、楽器の不使用時に譜面板３１を倒設させる場合、図１に示すように、譜面板３１が鍵盤楽器１の後方に突出しない。また、逆に言えば、大型の譜面を載置可能なだけの高さの譜面板３１を備えた譜面台装置を楽器の奥行きをコンパクトにしつつ製造することが可能となる。
【図面の簡単な説明】
【００３４】
【図１】本発明に係る譜面台装置の縦断面を示す側面図である。
【図２】図１に示す譜面台装置について、Ｉ−Ｉを矢視方向に見た断面図である。
【図３】本発明に係る譜面台装置の一部を形成する譜面台集成部の一部及びガイド部を示す斜視図である。
【図４】本発明に係る譜面台装置を表側及び裏側から見た全体図である。
【図５】本発明に係る譜面台装置の一部を形成する譜面台集成部の一部を拡大して示す側面図である。
【図６】本発明に係る譜面台装置において、譜面板が立設した状態を示す側面図である。
【符号の説明】
【００３５】
１：鍵盤楽器    １０：楽器本体    ３０：譜面台装置    ３１：譜面板    ３１１：表面    ３１ａ：軸体    ３１ｂ：腕部    ３１Ａ：固定部    ３２：設置台    ３２ａ：凹陥部    ３２ｂ：孔部    ３２ｃ：スリット    ３３：支持アーム    ３３ａ：一端    ３３ｂ：他端    ３３ａａ，３３ｂｂ：ヒンジ部    ３４：譜面受け部    ３４ａ：凹部    ３５：譜面止め部    ３６：段差部    ３６ａ：前面    ３６ｂ：上面    ３６ｃ：立上げ面    ４０：ガイド部    ４１：始端部    ４２：終端部    ４２ａ：落ち込み部    ４３：案内路    ５０：譜面台集成部    ５０１：端面    ５１：ガイド規定部    ５２：凸部    ６１ａ，６１ｂ：ビス    ６２：止め金具    ６３ａ、６３ｂ：ビス    ６４：止め金具    ７０：フランジ部    ７１：開放端面    ８０：譜面
【図１】
2005181905.tif 000003
【図２】
2005181905.tif 000004
【図３】
2005181905.tif 000005
【図４】
2005181905.tif 000006
【図５】
2005181905.tif 000007
【図６】
2005181905.tif 000008